(57)【要約】【課題】扉のロック手段にスナッチロックを採用し、併せてキーレス化と防盗性向上を図るようにした自動販売機の扉ロック装置を提供する。【解決手段】外扉のロック手段として、オートロック式のスナッチロック７を外扉２の裏面に，その受け金８を外箱１の開口端部に振り分けて設置するとともに、遠隔操作でスナッチロックを解錠するアクチュエータとして電磁ソレノイド１２をスナッチロックの解除レバー７ｃに連係させて外扉の内側に配置し、扉開放時には遠隔操作器（リモコン）１３を使って機外側から解錠指令を無線送信し、この信号を受けて作動するアクチュエータ１２がスナッチロック７を解錠して受け金８との係止を解除する。【選択図】        図１
2005173665.tif 000002
【特許請求の範囲】
【請求項１】
庫内に商品収納ラックを搭載したキャビネットの外箱前面に配した片開き式の外扉を閉位置に鎖錠する自動販売機の扉ロック装置であって
そのロック手段として、オートロック式のスナッチロックおよびその受け金を外扉と外箱の内側に振り分けて設置するとともに、遠隔操作によりスナッチロックを解錠する電気駆動式のアクチュエータをスナッチロックの解除レバーに連係させて機内側に配置し、扉開放時に機外側から無線で送信した解錠指令の信号を受けて作動する前記アクチュエータの操作でスナッチロックを解錠するようにしたことを特徴とする自動販売機の扉ロック装置。
【請求項２】
請求項１に記載の扉ロック装置において、スナッチロックを外扉の裏面に,該スナッチロックの受け金を外箱の開口端部に設けた補強金に設置するとともに、スナッチロックの解錠レバーに連係させた解錠用のアクチュエータを受信器と組み合わせて外扉の内側に配置したことを特徴とする自動販売機の扉ロック装置。
【請求項３】
請求項１に記載の扉ロック装置において、スナッチロックを外箱の開口端部に設けた補強金に,該スナッチロックの受け金を外扉の裏面に設置するとともに、スナッチロックの解錠レバーに連係させた解錠用のアクチュエータを受信器と組み合わせて外箱の内側に配置したことを特徴とする自動販売機の扉ロック装置。
【請求項４】
請求項１ないし３のいずれかに記載の扉ロック装置において、解錠用のアクチュエータが電磁ソレノイドであることを特徴とする自動販売機の扉ロック装置。
【請求項５】
請求項１ないし４のいずれかに記載の扉ロック装置において、スナッチロックを装備した側の外箱と外扉との間の重ね合わせ面を覆って、キャビネットの外側面に防盗用のサイドカバーを設けたことを特徴とする自動販売機の扉ロック装置。
【発明の詳細な説明】
【技術分野】
【０００１】
本発明は、自動販売機のキャビネット前面に配した外扉の扉ロック装置に関する。
【背景技術】
【０００２】
まず、本発明の実施対象となる自動販売機を図３，図４に示す。図において、１は断熱筐体になるキャビネットの外箱、２は外箱１の前面に配した片開き式の外扉、２ａは外扉２の前面に画成したディスプレイ室、２ｂは商品取出口、３，４は外扉２の背後に配した上下二分割形の断熱内扉、５は外箱１の庫内に搭載した商品収納ラックである。
【０００３】
また、前記の外扉２はその吊り側（図面の左端側）が蝶番（図示せず）を介して外箱１の開口端部にヒンジ結合されており、吊り側と反対側（図面の右端側）にはハンドルと組み合わせた扉ロック６を装備し、該扉ロック６により外扉２を閉位置に鎖錠するようにしている。なお、１４は貨幣処理機として外扉２に装備したのコインメック、１５はビルバリデータである。
【０００４】
ここで、従来の自動販売機に装備されている扉ロック装置６は、外扉２に錠付きのハンドルを取り付け、外扉２の裏面側には前記ハンドルの軸に設けたカムに連係する上下動式のスライド板（掛け金）を敷設するとともに、このスライド板に対向して外箱１の開口端部にフック状の受け金を設け、外扉２を閉じた際に前記スライド板を受け金に掛け止めして外扉２を閉位置に鎖錠するようにし、また扉の開放時にはキーを使ってハンドル錠を解錠した上で、ハンドルの操作によりスライド板と受け金との係合を外して扉を開くようにしている（例えば、特許文献１参照）。
【０００５】
一方、扉キャッチなどに適用する錠前の一種として「スナッチロック」と称するオートロック式のロック装置が知られている（例えば、特許文献２参照）。このスナッチロックは扉の裏側に取り付け、扉を閉じた際に相手側の受け金（ロックバー）へ自動的に掛け止めして扉を閉位置に鎖錠するものであり、その構造を図５(a) 〜(c) で示す。
【０００６】
すなわち、スナッチロック７は、前端側に受け金８が嵌入する凹溝を形成した箱形ケースにロック板７ａ，掛け止めレバー７ｂを組み込み、さらにケースの底面に解除レバー７ｃを設けた構造になり、受け金８がケースの凹溝に押し込まれると、自動的に掛け止めレバー７ａが受け金８に係合してロックされる。また、このスナッチロック７は、図６で示すように扉１０の裏面に取り付け、その受け金８を箱体１１の内側に取り付けた上で、スナッチロック７の解除レバー７ｃから引き出したワイヤ９を扉１０のハンドルなどに連結してインターロックさせておく。そして、扉１０を開く際にはハンドル操作により前記ワイヤ９を引っ張り、スナッチロック７の解除レバー７ｃが掛け止めレバー７ａを図５の鎖線で表す釈放位置に傾動させて受け金８との係合を解除させる。かかる構成のスナッチロック７は、例えば扉を揺すったりしても受け金８とのロック状態が外れるおそれがなくて高い安全性が得られる。
【特許文献１】特開２０００−１２３２３６号公報
【特許文献２】特開平８−２８２２７７号公報
【発明の開示】
【発明が解決しようとする課題】
【０００７】
ところで、図３で述べた従来の自動販売機に採用されている扉ロック装置は防盗性に弱点がある。すなわち、バールやグラインダなどの工具を使って自動販売機の扉前面に露呈している錠付きハンドルを破壊したり、その周辺の扉板を捲るなどすることにより、容易にスライド板と受け金との係合を外して扉を開くことが可能であり、このために外扉2の裏側に装備したコインメック１４およびその回収ボックス，ビルバリデータ１５から金銭を不正に盗み出す盗難を受け易いといった問題点がある。
【０００８】
本発明は上記の点に鑑みなされたものであり、扉のロック手段に先記した安全性の高いスナッチロックを採用し、併せて外扉から錠付きハンドルを排除してキーレス化，防盗性向上を図るようにした自動販売機の扉ロック装置を提供することを目的とする。
【課題を解決するための手段】
【０００９】
上記目的を達成するために、本発明によれば、自動販売機のキャビネット前面に配した片開き式の外扉を閉位置に鎖錠する扉ロック装置を次記のように構成する。
【００１０】
すなわち、外扉のロック手段として、オートロック式のスナッチロックおよびその受け金を外扉と外箱の内側に振り分けて設置するとともに、遠隔操作によりスナッチロックを解錠する電気駆動式のアクチュエータをスナッチロックの解除レバーに連係させて機内側に配置し、扉開放時に機外側から無線で送信した解錠指令の信号を受けて作動する前記アクチュエータの操作によりスナッチロックを解錠する（請求項１）ものとし、具体的には次記のような態様で構成するものとする。
【００１１】
（１）スナッチロックを外扉の裏面に,スナッチロックの受け金を外箱の開口端部に設けた補強金に設置するとともに、スナッチロックの解除レバーに連係させたアクチュエータを信号受信器と組み合わせて外扉の内側に配置する（請求項２）。
【００１２】
（２）スナッチロックを外箱の開口端部に設けた補強金に,スナッチロックの受け金を外扉の裏面に設置するとともに、スナッチロックの解錠レバーに連係させた解錠用のアクチュエータを信号受信器と組み合わせて外箱の内側に配置する（請求項３）。
【００１３】
（３）解錠用のアクチュエータを電磁ソレノイドとしてスナッチロックの解除レバーに連繋させる（請求項４）。
【００１４】
（４）スナッチロックを装備した側の外箱と外扉との間の重ね合わせ面を覆って、キャビネットの外側面に防盗用のサイドカバーを設ける（請求項５）。
【発明の効果】
【００１５】
上記構成の扉ロック装置は、スナッチロックの解錠を機外側からの無線による遠隔操作で作動するアクチュエータを介して行うようにしたキーレス方式とし、従来の自動販売機の扉ロック装置のように、外扉の前面にキー操作で解錠するハンドル錠を排除したので外見的にはロック装置が見えないので防盗性が向上する。しかも、スナッチロックを外扉の前面から距離的に奥まった外箱側に設けた請求項３の構成によれば、外扉の前面からの破壊行為によってスナッチロックを破壊，解除することが困難であり、さらに外扉と外箱との合わせ面にバールなどをこじ入れる破壊行為の防護策としてキャビネットの外側面に防盗用のサイドカバーを設けた請求項５の構造を併用することで防盗性を一層高めることができる。
【発明を実施するための最良の形態】
【００１６】
以下、本発明の実施の具体的な形態を図１，図２に示す実施例に基づいて説明する。
【実施例１】
【００１７】
図１(a),(b) は本発明の請求項２に対応する実施例を示すものである。この実施例においては、図５で述べたスナッチロック７を外扉２の裏側（図３に示した従来の扉ロックを装着していた箇所）に装着し、これに対向するバー状の掛け金８を外箱１の開口端部に設けた補強板１ａに取り付ける。なお、この場合にスナッチロック７，受け金８は庫内側に配して開閉する断熱内扉３と干渉しないように設置する。さらに、外扉２の内側には解錠用アクチュエータとして電磁ソレノイド１２を配置し、この電磁ソレノイド１２との可動ロッドとスナッチロック７の解除レバー７ｃとの間をワイヤ９で連結しておく。なお、ワイヤ９を用いる代わりに、電磁ソレノイドと解除レバーとの間をリンクで連繋するようにしてもよい。また、この電磁ソレノイド１２は信号受信器１２ａを備えており、図１(b) で示すように機外から遠隔操作器（リモコン操作器）１３から無線式に送信された解錠指令の信号（例えば、電波信号，超音波信号）を受信した際に電磁ソレノイドのコイルを通電制御し、ソレノイドの吸引動作によりワイヤ９を介してスナッチロック７を解錠して受け金８との係合を解除するようにしている。なお、１３ａは解錠指令を与える押しボタンである。
【００１８】
上記の構成で、外扉２を閉じると自動的にロックが掛かり、スナッチロック７と受け金８とが係合して外扉２が閉位置に鎖錠される。また、外扉２を開く際には、前記のように遠隔操作器１３を使って機外から解錠信号を送信してスナッチロック７を解錠する。
【００１９】
さらに、図示実施例では、図１(a) で示すように外箱１と外扉２との重なり面を側方から覆うように、外扉２の補強板を側方に張り出して形成したＬ字形のサイドカバー２ｃを設けておき、バールなどを外箱と外扉との間の隙間にこじ入れて強引に扉を開けるような破壊行為に対する防盗性を高めるようにしている。
【実施例２】
【００２０】
図２は先記実施例１をさらに発展させた本発明の請求項３に対応する実施例を示すものである。
【００２１】
この実施例においては、先記実施例１とは逆に、スナッチロック７を外箱１の開口端部に設けた補強板１ａの内面にボルトで固定し、これに対向する受け金８を外扉２の内側に設置するようにしている。また、スナッチロック７の解除レバー７ｃにワイヤ９を介して連繋した解錠用アクチュエータとしての電磁ソレノイド１２を外箱１の内方に配置しておき、実施例１と同様に扉開放時に機外から遠隔操作器１３で送信した解錠指令を受けてスナッチロック７を解錠させる。
【００２２】
この実施例では、スナッチロック７の解除レバー７ｃが外扉２の前面から距離Ｌだけ奥まった外箱１の開口端部に位置しているので、その分だけ外扉２の前方から加える破壊行為に対して安全性が高く、実施例１の構成と比べて高い防盗性を確保できる。
【００２３】
さらに、この実施例においては、キャビネット側方からの破壊行為に対する防護策として、先記実施例１と同様に、外箱１および外扉２の補強板を側方に張り出して互いに入り組む防盗用のサイドカバー１ｂ，２ｃを設けて外箱／外扉間の重なり面を外側から覆うようにいる。
【図面の簡単な説明】
【００２４】
【図１】本発明の実施例１に係る扉ロック装置の構成図であり、（ａ）は扉ロック装置を装備した自動販売機のキャビネットの部分横断平面図、（ｂ）は扉ロック装置の解錠操作を説明する（ａ）の俯瞰図
【図２】本発明の実施例２に係る扉ロック装置の構成図であり、（ａ）は扉ロック装置を装備した自動販売機のキャビネットの部分横断平面図、（ｂ）は扉ロック装置の解錠操作を説明する（ａ）の部分俯瞰図
【図３】本発明の実施対象となる自動販売機の正面図
【図４】自動販売機の扉開放状態の外観斜視図
【図５】スナッチロックの構成図であり、（ａ），（ｂ），（ｃ）はそれぞれ正面図，側面図，および底面図
【図６】図５のスナッチロックの使用例を表した俯瞰図
【符号の説明】
【００２５】
１    自動販売機の外箱
２    自動販売機の外扉
３，４    断熱内扉
５    商品収納ラック
７    スナッチロック
７ａ  解除レバー
８    受け金
９    ワイヤ
１２    電磁ソレノイド
１２ａ  受信器
１３    遠隔操作器
【図１】
2005173665.tif 000003
【図２】
2005173665.tif 000004
【図３】
2005173665.tif 000005
【図４】
2005173665.tif 000006
【図５】
2005173665.tif 000007
【図６】
2005173665.tif 000008